(57)【要約】【課題】冷却対象に送風される空気の風速を精度よく測定できる風速測定装置、および電子機器を提供する。【解決手段】風速測定装置７は、空気の風速を測定する風速センサ７２と、冷却対象に送風される空気の一部を流通可能とする空気流通部７１とを備える。空気流通部７１には、空気の流通方向前段側に流通方向に交差して延出する障壁部７１１，７１２と、空気の流通方向後段側に内部の空気を外部に流出させる流出口７１３とが形成され、風速センサ７２は、空気流通部７１内部において、障壁部７１１，７１２と流出口７１３との間の空間Ａｒ２の空気の風速を測定する。【選択図】図９
2007304481.tif 000002
【特許請求の範囲】
【請求項１】
冷却対象、および前記冷却対象を冷却する冷却ファンを備えた電子機器に用いられ、前記冷却対象に送風される空気の風速を測定する風速測定装置であって、
空気の風速を測定する風速測定部と、
前記冷却対象に送風される空気の一部を流通可能とする空気流通部とを備え、
前記空気流通部には、前記空気の流通方向前段側に前記流通方向に交差して延出する障壁部と、前記空気の流通方向後段側に内部の空気を外部に流出させる流出口とが形成され、
前記風速測定部は、前記空気流通部内部において、前記障壁部と前記流出口との間の空間の空気の風速を測定することを特徴とする風速測定装置。
【請求項２】
冷却対象と、前記冷却対象を冷却する冷却ファンと、前記冷却対象および前記冷却ファンを内部に収納配置する外装筺体とを備えた電子機器であって、
前記外装筺体には、異物の侵入を防止するフィルタを着脱自在に構成され前記冷却ファンの駆動により外部の空気を内部に導入するための吸気口が形成され、
請求項１に記載の風速測定装置と、
前記外装筺体内部の温度を検出する温度検出部と、
当該電子機器の構成部材を駆動制御する制御装置とを備え、
前記制御装置は、
前記温度検出部にて検出された温度に基づいて、前記冷却ファンに印加する電圧値を変更して前記冷却ファンを駆動制御するファン駆動制御部と、
前記フィルタの交換を必要とする設定風速値に関する設定風速情報を記憶する設定風速情報記憶部と、
前記ファン駆動制御部が前記冷却ファンに所定の電圧値を印加した際に前記風速測定装置にて測定された風速値と前記設定風速情報に基づく設定風速値とを比較し、比較した結果に応じて、前記フィルタの交換が必要であるか否かを判定する目詰まり検出制御を実施する目詰まり検出制御部とを備えていることを特徴とする電子機器。
【請求項３】
請求項２に記載の電子機器において、
前記冷却ファンから吐出された空気を前記冷却対象に導くダクトを備え、
前記風速測定装置は、前記空気流通部が前記ダクト内部に連通するように配設されていることを特徴とする電子機器。
【請求項４】
請求項２または請求項３のいずれかに記載の電子機器において、
当該電子機器は、光源装置と、前記光源装置から射出された光束を画像情報に応じて変調して光学像を形成する光変調装置と、前記光学像を拡大投射する投射光学装置とを備えたプロジェクタであることを特徴とする電子機器。
【発明の詳細な説明】
【技術分野】
【０００１】
本発明は、風速測定装置、および電子機器に関する。
【背景技術】
【０００２】
従来、冷却対象と、冷却対象を冷却する冷却ファンを備えた電子機器において、冷却対象に送風される空気の風速を測定し、測定した風速値に基づいて種々の制御を実施する技術が知られている（例えば、特許文献１参照）。
特許文献１に記載の技術では、吸気ファンにより液晶パネルのパネル面に冷却空気を送風し、液晶パネルのパネル面に送風された冷却空気の風速を風速センサにて測定する。そして、風速センサにて測定された風速値に基づいて、光源あるいは電源をＯＦＦする制御、あるいは、発熱異常の警報表示をする制御を保護装置が実施している。
【０００３】
【特許文献１】特開平１１−８４５３４号公報
【発明の開示】
【発明が解決しようとする課題】
【０００４】
特許文献１に記載の技術では、風速センサを含む保護装置は、合成プリズムの上面、すなわち、冷却対象である液晶パネルに対して空気の流路後段側に配置して設けられている。そして、合成プリズムと液晶パネルとの部材間を流通し、該部材間から流出した冷却空気の風速を測定している。
このような構成では、合成プリズムと液晶パネルとの部材間を空気が流通する際、気流が乱れやすく、風速センサにより測定される風速値にばらつきが生じやすい。すなわち、空気の風速を精度よく測定できず、ひいては、風速値に基づく制御を良好に実施できない、という問題がある。
また、風速センサを含む保護装置を、冷却対象である液晶パネルに対して空気の流路前段側に配置した場合であっても、冷却ファンによる空気の吐出圧等の影響により、空気の風速を精度よく測定することが難しい。また、風速値に基づく制御も良好に実施できない。
したがって、冷却対象に送風される空気の風速を精度よく測定できる技術が要望されている。
【０００５】
本発明の目的は、冷却対象に送風される空気の風速を精度よく測定できる風速測定装置、および電子機器を提供することである。
【課題を解決するための手段】
【０００６】
本発明の風速測定装置は、冷却対象、および前記冷却対象を冷却する冷却ファンを備えた電子機器に用いられ、前記冷却対象に送風される空気の風速を測定する風速測定装置であって、空気の風速を測定する風速測定部と、前記冷却対象に送風される空気の一部を流通可能とする空気流通部とを備え、前記空気流通部には、前記空気の流通方向前段側に前記流通方向に交差して延出する障壁部と、前記空気の流通方向後段側に内部の空気を外部に流出させる流出口とが形成され、前記風速測定部は、前記空気流通部内部において、前記障壁部と前記流出口との間の空間の空気の風速を測定することを特徴とする。
ここで、風速測定部としては、風速を測定するいわゆる風速センサを採用できる。
【０００７】
本発明では、風速測定装置は、障壁部および流出口が形成された空気流通部を備えている。このことにより、空気流通部に向かう空気は、一度、障壁部に衝突した後に、障壁部および流出口との間の空間（以下、内部空間と記載する）に流入する。このため、空気流通部内に流入する前段側の空間（以下、外部空間と記載する）の圧力を障壁部により低下させた状態で、内部空間に空気を流入させることができる。また、流出口により、内部空間を流通する空気の流量を増加させることができる。したがって、内部空間は、外部空間の圧力よりも十分に低い圧力状態となりかつ、空気を一定の風速で流通させることができる。そして、風速測定部は、内部空間の空気の風速を測定するので、風速測定の特性上、最適な圧力状態で風速を測定できかつ、測定した風速値にばらつきが生じることなく、冷却対象に送風される空気の風速を精度よく測定できる。
【０００８】
本発明の電子機器は、冷却対象と、前記冷却対象を冷却する冷却ファンと、前記冷却対象および前記冷却ファンを内部に収納配置する外装筺体とを備えた電子機器であって、前記外装筺体には、異物の侵入を防止するフィルタを着脱自在に構成され前記冷却ファンの駆動により外部の空気を内部に導入するための吸気口が形成され、上述した風速測定装置と、前記外装筺体内部の温度を検出する温度検出部と、当該電子機器の構成部材を駆動制御する制御装置とを備え、前記制御装置は、前記温度検出部にて検出された温度に基づいて、前記冷却ファンに印加する電圧値を変更して前記冷却ファンを駆動制御するファン駆動制御部と、前記フィルタの交換を必要とする設定風速値に関する設定風速情報を記憶する設定風速情報記憶部と、前記ファン駆動制御部が前記冷却ファンに所定の電圧値を印加した際に前記風速測定装置にて測定された風速値と前記設定風速情報に基づく設定風速値とを比較し、比較した結果に応じて、前記フィルタの交換が必要であるか否かを判定する目詰まり検出制御を実施する目詰まり検出制御部とを備えていることを特徴とする。
本発明によれば、電子機器は、上述した風速測定装置を備えているので、上述した風速測定装置と同様の作用・効果を享受できる。
【０００９】
また、本発明では、制御装置は、ファン駆動制御部、設定風速情報記憶部、および目詰まり検出制御部を備えているので、例えば、以下に示すようにフィルタの交換、すなわち、フィルタの目詰まりを検出できる。
先ず、ファン駆動制御部は、温度検出部にて検出された外装筺体内部の温度に基づいて、冷却ファンに印加する電圧値を変更して（冷却ファンから送風される空気の送風量を変更して）冷却ファンを駆動制御（以下、ファン制御と記載する）する。
ここで、例えば、電子機器の使用環境温度が高い場合には、冷却対象に向けて送風される空気の温度も高いため、冷却対象の温度の上昇率が高くなる（外装筺体内部の温度の上昇率が高くなる）。また、フィルタが目詰まりを起こした場合、すなわち、フィルタに塵埃等が付着し、所望量の空気を外装筺体内部に導入できない場合にも同様に、冷却対象の温度の上昇率が高くなる。このような場合にファン駆動制御部がファン制御を実施すると、外装筺体内部の温度の上昇に応じて、冷却ファンに印加する電圧値の増加率を比較的に大きくし、いずれ設定された上限値（冷却ファンの使用電圧の上限値）で冷却ファンを駆動することとなる。
【００１０】
そして、目詰まり検出制御部は、以下に示すように、上記の種々の場合を切り分け、フィルタの交換が必要である旨、すなわち、フィルタが目詰まりを起こしている旨を判定する。
すなわち、目詰まり検出制御部は、ファン駆動制御部が冷却ファンに所定の電圧値（前記上限値）を印加した際に、風速測定装置にて測定された風速値を認識する。
次に、目詰まり検出制御部は、認識した風速値と、設定風速情報記憶部に記憶された設定風速情報に基づく設定風速値とを比較し、比較した結果に応じて、例えば、予め設定された設定風速値よりも前記認識した風速値が小さい場合に、フィルタが目詰まりを起こしている旨と判定する。
【００１１】
以上のように、制御装置は、風速測定装置にて精度よく測定された風速値に基づいてフィルタの目詰まりを精度よく検出できる。したがって、例えば、フィルタの目詰まりを検出した後、フィルタの交換を促す情報を報知部に報知させる制御を実施することで、フィルタの交換を利用者に適切に認識させることができる。また、例えば、フィルタの目詰まりを検出した後、所定の構成部材（光源、電源等）をＯＦＦ（駆動停止）する制御を実施することで、電子機器の構成部材が熱により損傷することがなく電子機器の長寿命化が図れる。
【００１２】
本発明の電子機器では、前記冷却ファンから吐出された空気を前記冷却対象に導くダクトを備え、前記風速測定装置は、前記空気流通部が前記ダクト内部に連通するように配設されていることが好ましい。
本発明では、風速測定装置は、空気流通部がダクト内部に連通するように配設されている。すなわち、風速測定装置は、冷却対象に対して空気の流路前段側に配設されている。このことにより、例えば、風速測定装置が冷却対象を介した後の空気の風速を測定する構成と比較して、測定した風速値にばらつきが生じることをより抑制でき、冷却対象に送風される空気の風速をより高精度に測定できる。また、ダクト内部の空間（前記外部空間）は、冷却ファンからの空気の吐出圧により比較的に高い内圧となっているところ、障壁部により、空気流通部の内部空間の内圧を十分に低くすることができ、例えば、内部空間を冷却対象の配置位置と略同一の圧力状態とすることができ、冷却対象に送風される空気の風速を良好に測定できる。
【００１３】
本発明の電子機器では、当該電子機器は、光源装置と、前記光源装置から射出された光束を画像情報に応じて変調して光学像を形成する光変調装置と、前記光学像を拡大投射する投射光学装置とを備えたプロジェクタであることが好ましい。
本発明によれば、上述したように精度よく測定された風速値に基づいてフィルタの目詰まりを精度よく検出できる電子機器をプロジェクタとすることで、例えば、フィルタの目詰まりを検出した後、所定の構成部材（光源、電源等）をＯＦＦ（駆動停止）する制御を実施することで、光変調装置等の構成部材が光束の照射により過熱されて損傷することがなく、利用者にプロジェクタからの投影画像を良好に観賞させることができ不快感を与えることがない。
【発明を実施するための最良の形態】
【００１４】
以下、本発明の一実施形態を図面に基づいて説明する。
（１）プロジェクタ１の外観構成
図１は、本実施形態の電子機器としてのプロジェクタ１の外観を示す斜視図である。
本実施形態のプロジェクタ１は、内部に設けられた光源から射出された光束を画像情報に応じて変調して光学像を形成し、当該光学像をスクリーン等に拡大投射するものである。
このプロジェクタ１は、図１に示すように、略立方体形状の外装筐体２を備えている。この外装筐体２は、プロジェクタ１の上面および側面を構成するアッパーケース２１と、底面を構成するロアーケース２２と、光学像の投射方向に沿った側面を構成するサイドケース２３とから構成されており、これらは、互いにねじ等で固定されている。
なお、外装筐体２は、合成樹脂等に限らず、その他の材料にて形成してもよく、例えば、金属等により構成してもよい。
【００１５】
このうち、ロアーケース２２の底面には、図示を省略するが、プロジェクタ１を正置き姿勢（机等の設置面上に載置した状態）にした際に、設置面上に当接される脚部が複数突設され、また、アッパーケース２１の上面２１Ａには、プロジェクタ１を天吊り姿勢（天井等から吊下げた状態）にした際に、天井面等に当接される脚部２１Ａ１が複数（本実施形態では５つ）突設されている。また、上面２１Ａには、後述する光学ユニット４を構成する光源ランプ４１６の交換用の開口２１Ａ２が形成されており、当該開口２１Ａ２は、蓋部２１Ａ３で閉塞されている。
【００１６】
サイドケース２３は、光学像の投射方向に沿った側面のうち、後述する投射レンズ３に近接する側の外装筐体２の側面を構成する。このサイドケース２３の略中央には、図１では詳しい図示を省略したが、内側に向かって没入した略矩形の凹部２３１（図４参照）が形成されており、当該凹部２３１の略中央には、横長略矩形の開口部２３２が形成されている。この開口部２３２は、後述する冷却ユニット６の第１冷却系６１により、外装筐体２外から内部に冷却空気を導入するための吸気口である。また、この凹部２３１には、開口部２３２を覆うスリット２４が設けられている。なお、冷却ユニット６については、後に詳述する。
【００１７】
（２）プロジェクタ１の内部構成
図２は、プロジェクタ１の内部構成を示す斜視図である。具体的に、図２は、アッパーケース２１を取り外したプロジェクタ１を示す斜視図である。
外装筐体２の内部には、図２に示すように、投射光学装置としての投射レンズ３と、光学像を形成する光学ユニット４と、プロジェクタ１を構成する各電子部品に電力を供給する電源ユニット５と、発熱する光学部品および電子部品を冷却する冷却ユニット６と、冷却ユニット６により冷却対象に送風される空気の風速を測定する風速測定装置７（図６ないし図９参照）と、プロジェクタ１全体を制御する制御装置８（図１０参照）とが配置されている。
このうち、投射レンズ３は、光学ユニット４で形成された光学像（カラー画像）を図示しないスクリーン上に拡大投射する投射光学系としての機能を有するものである。この投射レンズ３は、筒状の鏡筒内に複数のレンズが収納された組レンズとして構成されており、アッパーケース２１の図示しない開口部から投射口が露出している。
【００１８】
（３）光学ユニット４の構成
図３は、光学ユニット４の光学系を模式的に示す図である。
光学ユニット４は、制御ユニットによる制御の下、光源から射出された光束を、光学的に処理して画像情報に対応した光学像（カラー画像）を形成するユニットである。この光学ユニット４は、図２に示すように、外装筐体２の背面に沿って延出するとともに、当該外装筐体２の側面（前述の開口部２３２が形成された面）に沿って延出する平面視略Ｌ字形状を有している。
光学ユニット４は、図３に示すように、照明光学装置４１と、色分離光学装置４２と、リレー光学装置４３と、電気光学装置４４と、これら光学部品４１〜４４を内部に収納配置する光学部品用筐体４５とを備えている。
【００１９】
照明光学装置４１は、電気光学装置４４を構成する後述する液晶パネル４４１の画像形成領域をほぼ均一に照明するための光学系である。この照明光学装置４１は、光源装置４１１と、第１レンズアレイ４１２と、第２レンズアレイ４１３と、偏光変換素子４１４と、重畳レンズ４１５とを備えて構成されている。
【００２０】
光源装置４１１は、放射状の光線を射出する光源ランプ４１６と、この光源ランプ４１６から射出された放射光を反射して所定位置に収束させるリフレクタ４１７と、リフレクタ４１７にて収束される光束を照明光軸Ａに対して平行化する平行化凹レンズ４１８と、制御装置８の制御の下、光源ランプ４１６を駆動させるランプドライバ４１６Ａ（図４参照）とを備えている。このような光源ランプ４１６としては、ハロゲンランプやメタルハライドランプ、高圧水銀ランプを利用することができる。また、リフレクタ４１７としては、回転楕円面を有する楕円面リフレクタで構成することができるほか、回転放物面を有する放物面リフレクタで構成することも可能である。この場合には、平行化凹レンズ４１８を省略することができる。
【００２１】
第１レンズアレイ４１２は、光軸方向から見て略矩形状の輪郭を有する小レンズがマトリクス状に配列された構成を有している。各小レンズは、光源装置４１１から射出される光束を、複数の部分光束に分割する。
第２レンズアレイ４１３は、第１レンズアレイ４１２と同様な構成を有しており、小レンズがマトリクス状に配列された構成を有している。この第２レンズアレイ４１３は、当該第２レンズアレイ４１３の光路後段に配置された重畳レンズ４１５とともに、第１レンズアレイ４１２の各小レンズから射出された像を、電気光学装置４４の後述する液晶パネル４４１の画像形成領域に結像させる機能を有している。
【００２２】
偏光変換素子４１４は、第２レンズアレイ４１３と重畳レンズ４１５との間に配置され、第２レンズアレイ４１３からの光を略１種類の直線偏光に変換するものである。
具体的に、偏光変換素子４１４によって略１種類の直線偏光に変換された各部分光は、重畳レンズ４１５によって最終的に後述する液晶パネル４４１の画像形成領域にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の直線偏光に変換し、電気光学装置４４での光の利用効率を高めている。
【００２３】
色分離光学装置４２は、２枚のダイクロイックミラー４２１，４２２と、反射ミラー４２３とを備え、ダイクロイックミラー４２１，４２２により照明光学装置４１から射出された複数の部分光束を赤、緑、青の３色の色光に分離する機能を有している。
リレー光学装置４３は、入射側レンズ４３１、リレーレンズ４３３、および反射ミラー４３２，４３４を備え、色分離光学装置４２で分離された赤色光を赤色光用の液晶パネル４４１（４４１Ｒ）まで導く機能を有している。
【００２４】
この際、色分離光学装置４２のダイクロイックミラー４２１では、照明光学装置４１から射出された光束の赤色光成分と緑色光成分とが透過するとともに、青色光成分が反射する。ダイクロイックミラー４２１によって反射した青色光は、反射ミラー４２３で反射し、フィールドレンズ４１９を通って青色光用の液晶パネル４４１（４４１Ｂ）に達する。このフィールドレンズ４１９は、第２レンズアレイ４１３から射出された各部分光束をその中心軸（主光線）に対して平行な光束に変換する。緑色光用および赤色光用の液晶パネル４４１（４４１Ｇ，４４１Ｒ）の光入射側に設けられたフィールドレンズ４１９も同様である。
【００２５】
ダイクロイックミラー４２１を透過した赤色光と緑色光のうち、緑色光はダイクロイックミラー４２２によって反射し、フィールドレンズ４１９を通って緑色光用の液晶パネル４４１（４４１Ｇ）に達する。一方、赤色光はダイクロイックミラー４２２を透過してリレー光学装置４３を通り、さらにフィールドレンズ４１９を通って赤色光用の液晶パネル４４１（４４１Ｒ）に達する。なお、赤色光の光路上にリレー光学装置４３が配置されているのは、赤色光の光路の長さが他の色光の光路の長さよりも長いため、光の拡散等による光の利用効率の低下を防止するためである。すなわち、入射側レンズ４３１に入射した部分光束をそのまま、フィールドレンズ４１９に伝えるためである。なお、リレー光学装置４３には、３つの色光のうち赤色光を通す構成としたが、これに限らず、例えば、青色光を通す構成としてもよい。
【００２６】
電気光学装置４４は、色分離光学装置４２から射出される３つの色光を画像情報に応じてそれぞれ変調し、変調した各色光を合成して光学像（カラー画像）を形成する。この電気光学装置４４は、光変調装置としての３つの液晶パネル４４１（赤色光用の液晶パネルを４４１Ｒ、緑色光用の液晶パネルを４４１Ｇ、青色光用の液晶パネルを４４１Ｂとする）と、これら液晶パネル４４１の光束入射側にそれぞれ配置される３つの入射側偏光板４４２と、各液晶パネル４４１の光束射出側にそれぞれ配置される３つの視野角補償板４４３と、３つの視野角補償板４４３の光束射出側にそれぞれ配置される３つの射出側偏光板４４４と、色合成光学装置としてのクロスダイクロイックプリズム４４５とを備えて構成されている。これらのうち、液晶パネル４４１、視野角補償板４４３、射出側偏光板４４４、クロスダイクロイックプリズム４４５は、固定部材（図示省略）によってユニット化されており、これらによって、電気光学装置本体４４０（図３）が構成されている。
【００２７】
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、例えば、サファイアガラスまたは水晶等の透光性基板上に偏光膜が貼付された構成を有している。
液晶パネル４４１は、一対の透明ガラス基板に電気光学物質である液晶が密閉封入された構成を有し、制御装置８から入力する駆動信号に応じて、画像形成領域内にある液晶の配向状態が制御され、入射側偏光板４４２から射出された偏光光束の偏光方向を変調して、入射する色光に応じた色画像を形成する。
【００２８】
視野角補償板４４３は、フィルム状に形成され、光束が液晶パネル４４１に斜方入射（液晶パネル４４１の光束入射面の法線方向に対して傾斜して入射）した場合に、当該液晶パネル４４１で生じる複屈折による常光と異常光との間に生じる位相差を補償する。この視野角補償板４４３は、負の一軸性を有する光学異方体であり、その光学軸がフィルム面内の所定方向に向きかつ、該フィルム面から面外方向に所定角度傾斜するように配向している。
この視野角補償板４４３としては、例えば、トリアセチルセルロース（ＴＡＣ）等の透明支持体上に配向膜を介してディスコティック（円盤状）化合物層を形成したもので構成することができ、ＷＶフィルム（富士写真フィルム社製）を採用できる。
【００２９】
射出側偏光板４４４は、液晶パネル４４１から射出され視野角補償板４４３を介した光束のうち、入射側偏光板４４２における光束の透過軸と直交する偏光軸を有する光束のみ透過させ、その他の光束を吸収するものである。
クロスダイクロイックプリズム４４５は、射出側偏光板４４４から射出された色画像としての各色光を合成して光学像（カラー画像）を形成する光学素子である。このクロスダイクロイックプリズム４４５は、４つの直角プリズムを貼り合わせた平面視正方形状をなし、直角プリズム同士を貼り合わせた界面には、２つの誘電体多層膜が形成されている。これら誘電体多層膜は、投射レンズ３と対向する側（Ｇ色光側）に配置された射出側偏光板４４４を介した色光を透過し、残り２つの射出側偏光板４４４（Ｒ色光側およびＢ色光側）を介した色光を反射する。このようにして、各入射側偏光板４４２、各液晶パネル４４１、各視野角補償板４４３、および各射出側偏光板４４４にて変調された各色光が合成されてカラー画像が形成される。
【００３０】
光学部品用筐体４５は、内部に所定の照明光軸Ａが設定され、上述した光学部品４１〜４４を照明光軸Ａに対する所定位置に配置するとともに、投射レンズ３を所定位置で支持固定する合成樹脂製の箱状部材である。
この光学部品用筐体４５は、図２に示すように、光源装置４１１を収納する光源収納部材４５１と、光源装置４１１を除いた各光学部品４１〜４４を内部に収納する部品収納部材４５２と、当該部品収納部材４５２の部品収納用の開口を閉塞する蓋状部材４５３を備えて構成されている。
【００３１】
このうち、光源収納部材４５１は、上方に開口する縦断面視略Ｕ字状の箱状部材として構成されており、前述のアッパーケース２１の上面２１Ａに形成された開口２１Ａ２を介して、光源装置４１１を交換可能に構成されている。
また、部品収納部材４５２は、上方に部品収納用開口が形成された縦断面視略Ｕ字状の箱状部材である。この部品収納部材４５２は、光源収納部材４５１と接続されており、詳しい図示を省略するが、当該光源収納部材４５１と接続される部品収納部材４５２の側壁には、光源収納部材４５１に収納された光源装置４１１から射出された光束が透過する開口が形成されている。また、部品収納部材４５２の内部には、図示を省略するが、光源装置４１１を除いた各光学部品４１〜４４を位置決め固定するための複数の溝が形成されている。
【００３２】
（４）電源ユニット５の構成
図２に戻り、電源ユニット５は、プロジェクタ１を構成する各電子部品に電力を供給する。この電源ユニット５は、プロジェクタ１の長手方向に沿って、光学ユニット４と略平行に配置されており、ＥＭＩ（ElectroMagnetic Interference、電磁干渉）対策のため、電磁シールド材５１によって覆われている。このような電源ユニット５は、詳しい図示を省略するが、電源ブロックと、光源駆動ブロックとを備えている。
【００３３】
このうち、電源ブロックは、電源ケーブル（図示省略）を介して入力する商用交流電流を直流変換し、各電子部品に応じた電圧に昇圧および減圧した後に、光源駆動ブロックおよび制御ユニット等の各電子部品に供給する。
光源駆動ブロックは、電源ブロックから供給される直流電流を整流、変圧して、交流矩形波電流を発生させ、この交流矩形波電流を光源装置４１１の光源ランプ４１６に供給して、当該光源ランプ４１６を点灯させる。この光源駆動ブロックは、制御ユニットに電気的に接続され、当該制御ユニットにより、光源駆動ブロックを介して光源ランプ４１６の点灯制御がなされている。
【００３４】
（５）冷却ユニット６の構成
冷却ユニット６は、プロジェクタ１外部から冷却空気を導入して、プロジェクタ１を構成する電子部品や光学部品等の発熱部品である冷却対象を冷却する。この冷却ユニット６は、図２に示すように、液晶パネル４４１等を冷却する第１冷却系６１と、電源ユニット５を冷却する第２冷却系６２と、光源ランプ４１６を冷却する第３冷却系６３と、これら第１〜第３冷却系６１〜６３での冷却に供された冷却空気をプロジェクタ１外部に排出する排気系６４とを備えて構成されている。
【００３５】
このうち、第２冷却系６２は、投射レンズ３の投射方向に沿った位置に配置された軸流ファン６２１を備えて構成され、第１冷却系６１でのプロジェクタ１外部から外装筺体２内に導入された冷却空気を電源ユニット５に送風して、当該電源ユニット５を冷却する。
第３冷却系６３は、外装筺体２内の空気を、図示しないダクトを介して光源装置４１１に送風するシロッコファン６３１を備えて構成され、光源装置４１１に吐出された冷却空気は、光学部品用筐体４５の光源収納部材４５１内を流通して、当該光源収納部材４５１内に収納された光源装置４１１の光源ランプ４１６を冷却する。
【００３６】
図４は、第１冷却系６１の一部を示す斜視図である。
第１冷却系６１は、サイドケース２３に形成された開口２３２を介してプロジェクタ１外部から冷却空気を導入し、冷却対象としての液晶パネル４４１等の電気光学装置４４および偏光変換素子４１４を冷却する。
この第１冷却系６１は、図２および図４に示すように、フィルタ６１１（図４）、第１ダクト６１２、ベースダクト６１３（図４）、２つの冷却ファン６１４，６１５および第２ダクト６１６（図６ないし図８参照）を備えて構成されている。これらのうち、２つの冷却ファン６１４，６１５が本発明の冷却ファンに相当し、第２ダクト６１６が本発明のダクトに相当する。
【００３７】
フィルタ６１１は、図４に示すように、開口部２３２に対応する外装筐体２の内側に着脱自在に設けられている。このフィルタ６１１は、開口部２３２から導入した空気を清浄化するためのものであり、サイドケース２３の凹部２３１および第１ダクト６１２に固定されている。
【００３８】
ここで、フィルタ６１１と、開口部２３２を形成するサイドケース２３との内面との間には、図４に示すように、第１クッション６５が介装されている。
第１クッション６５は、弾力性を有する合成樹脂製のクッションで構成され、フィルタ６１１とサイドケース２３との間の隙間を埋めるように、フィルタ６１１およびサイドケース２３に対して密着して取り付けられている。このため、後述する冷却ファン６１４，６１５を駆動させて、開口部２３２から冷却空気が外装筺体２内部に導入される際には、当該冷却空気のほぼ全てがフィルタ６１１を介して内部に導入されることとなり、外装筺体２内部には、当該フィルタ６１１によって清浄化された空気が導入されることとなる。
【００３９】
図５は、第１冷却系６１の一部を示す図である。具体的に、図５は、第１冷却系６１を図４とは反対側から見た図である。
第１ダクト６１２は、図４および図５に示すように、開口部２３２を覆うように、サイドケース２３の内側の面、および、ベースダクト６１３の上面６１３Ａにねじ固定される。この第１ダクト６１２は、水平方向に開口した縦断面視略Ｕ字状の箱状部材として構成されており、開口部２３２と、ベースダクト６１３の上面６１３Ａとを接続する。この第１ダクト６１２の内部には、具体的な図示を省略したが、開口部２３２の図４における左側から流通する空気を、ベースダクト６１３に形成された開口部６１３６（図６参照）に導き、開口部２３２の図４における右側から流通する空気を、ベースダクト６１３に形成された開口部６１３７（図６参照）に導く導風板が設けられている。
【００４０】
ここで、第１ダクト６１２とベースダクト６１３との間には、図５に示すように、第１ダクト６１２の下面を覆い、これら第１ダクト６１２とベースダクト６１３との間の隙間を埋める第２クッション６６が介装されている。この第２クッション６６は、第１クッション６５と同様に、弾力性を有する合成樹脂製のクッションで構成されている。このため、第１ダクト６１２内を流通した空気は、漏れることなくベースダクト６１３を介して、冷却ファン６１４，６１５に吸入される。
【００４１】
図６は、ベースダクト６１３に冷却ファン６１４，６１５、第２ダクト６１６、および風速測定装置７を組み付けた状態を上方から見た斜視図である。
図７は、図６において示した状態を下方から見た斜視図である。
ベースダクト６１３は、第１ダクト６１２内を流通した空気を冷却ファン６１４，６１５の吸入口に導くとともに、ロアーケース２２の底面内側に取り付けられ、フィルタ６１１、第１ダクト６１２、冷却ファン６１４，６１５および第２ダクト６１６を支持する部材である。
具体的に、ベースダクト６１３の上面６１３Ａには、フィルタ６１１および第１ダクト６１２が取り付けられ、また、下面６１３Ｂには、図７に示すように、冷却ファン６１４，６１５および第２ダクト６１６が取り付けられる。
【００４２】
このベースダクト６１３は、図６に示すように、平面視略Ｌ字状に形成されており、当該ベースダクト６１３には、上面６１３Ａから起立する板状の整流部６１３１，６１３２と、略中央に形成された開口部６１３３と、略矩形の開口部６１３４と、３つの略円形状の開口部６１３５，６１３６，６１３７とが形成されている。
このうち、整流部６１３１，６１３２は、各端面（板面）がベースダクト６１３に取り付けられた第１ダクト６１２内の空気の流通方向に略直交するように設けられ、前記空気の流れを整流する。
【００４３】
ベースダクト６１３の略中央に形成された開口部６１３３には、図６に示すように、第２ダクト６１６の一部が露出する。この開口部６１３３は、光学ユニット４を構成する電気光学装置４４に対応する位置に形成されている。そして、ベースダクト６１３の上面６１３Ａに取り付けられた第１ダクト６１２を介して、下面６１３Ｂに取り付けられた冷却ファン６１４，６１５によってプロジェクタ１外部から吸入された空気が、第２ダクト６１６を介して、電気光学装置４４に送風される。
【００４４】
ベースダクト６１３において、整流部６１３１，６１３２から離間した位置、具体的には、サイドケース２３から離れた位置に形成された略矩形の開口部６１３４には、冷却ファン６１５から第２ダクト６１６を介して冷却空気が送風される。この開口部６１３４の形成位置は、光学ユニット４を構成する偏光変換素子４１４に対応しており、第２ダクト６１６および開口部６１３４を介して、冷却ファン６１５から偏光変換素子４１４に、プロジェクタ１外部から導入された冷却空気が送風される。
【００４５】
ベースダクト６１３に形成された３つの略円形状の開口部６１３５，６１３６，６１３７のうち、整流部６１３１，６１３２から離れた位置に形成された開口部６１３５に対応する位置には、下面６１３Ｂ側に、第３冷却系６３を構成するシロッコファン６３１が取り付けられる。このため、第１冷却系６１により外装筺体２内に導入され、電気光学装置４４を冷却した空気は、開口部６１３５を介してシロッコファン６３１に吸入され、光源装置４１１に送風される。
【００４６】
開口部６１３６，６１３７は、第１ダクト６１２をベースダクト６１３に取り付けた際に、当該第１ダクト６１２内に覆われる位置に形成されている。この開口部６１３６，６１３７に対応する下面６１３Ｂ側には、冷却ファン６１４，６１５が取り付けられる。具体的に、開口部６１３６に対応する位置には、当該開口部６１３６に吸入口６１４１２を向けて冷却ファン６１４が取り付けられ、開口部６１３７に対応する位置には、吸入口６１５１２を向けて冷却ファン６１５が取り付けられる。このため、第１ダクト６１２を介して外装筺体２外部から導入された冷却空気は、開口部６１３６，６１３７を介して、冷却ファン６１４，６１５に吸入される。
【００４７】
図８は、冷却ファン６１４，６１５、第２ダクト６１６、および風速測定装置７を示す斜視図である。
冷却ファン６１４，６１５は、サイドケース２３に形成された開口部２３２から導入された空気を吸入して、液晶パネル４４１等の電気光学装置４４および偏光変換素子４１４に送風するものであり、ベースダクト６１３の下面６１３Ｂの開口部６１３６，６１３７に対応する位置に取り付けられる。
これら冷却ファン６１４，６１５は、図８に示すように、それぞれファン本体６１４１，６１５１と、ファンカバー６１４２，６１５２とを備えて構成されている。
【００４８】
ファン本体６１４１，６１５１は、具体的な図示は省略するが、回転軸上に複数の羽根部材が設けられた回転駆動源としてのモータ（図示省略）と、当該モータを内部に収納する筺体６１４１１，６１５１１とを備えている。このようなファン本体６１４１，６１５１は、シロッコファンとして構成することができる。
このうち、筺体６１４１１，６１５１１には、モータの回転軸に略直交する面に吸入口６１４１２，６１５１２が形成され、また、モータの回転軸に沿った面に、吸入口６１４１２，６１５１２から吸入した空気を、当該モータの回転によって吐出する吐出口６１４１３，６１５１３が形成されている。
【００４９】
ファンカバー６１４２，６１５２は、ファン本体６１４１，６１５１と同様の外観形状を有し、上方に開口６１４２１，６１５２１が形成された箱状部材として構成されている。このファンカバー６１４２，６１５２には、当該開口６１４２１，６１５２１を介して内部にファン本体６１４１，６１５１が収納される。
このファンカバー６１４２，６１５２には、ファン本体６１４１，６１５１の吐出口６１４１３，６１５１３に応じた位置にそれぞれ開口６１４２２，６１５２２（図７）が形成されている。また、この開口６１４２２，６１５２２には、第２ダクト６１６が接続されており、ファン本体６１４１，６１５１で吸入された冷却空気は、これら開口６１４２２，６１５２２を介して、第２ダクト６１６内に送出される。
【００５０】
すなわち、ファンカバー６１４２，６１５２によって、ファン本体６１４１，６１５１は、吸入口６１４１２，６１５１２が形成された面、および、吐出口６１４１３，６１５１３以外は、略全て覆われることとなる。この状態で、冷却ファン６１４，６１５は、ベースダクト６１３の下面６１３Ｂにねじ固定される。
【００５１】
これらファンカバー６１４２，６１５２において、開口６１４２１，６１５２１を形成する側壁の上面、すなわち、ベースダクト６１３の下面６１３Ｂに対向する面には、当該面の面外方向に起立するリブ６１４２３，６１５２３が形成されている。
これらリブ６１４２３，６１５２３は、ファンカバー６１４２，６１５２にファン本体６１４１，６１５１を収納する開口６１４２１，６１５２１の周囲を囲むように形成されている。そして、これらリブ６１４２３，６１５２３は、ファンカバー６１４２，６１５２と、ベースダクト６１３の下面６１３Ｂとの間に介装される第３クッション６７（図７）および第４クッション６８（図７）をそれぞれ押圧する。
【００５２】
これら第３クッション６７および第４クッション６８は、第１クッション６５および第２クッション６６と同様に、弾力性を有する合成樹脂製のクッションである。すなわち、これら第３クッション６７および第４クッション６８により、ベースダクト６１３とファンカバー６１４２，６１５２との間の隙間が塞がれており、外装筺体２内の空気が、冷却ファン６１４，６１５の吸入口６１４１２，６１５１２に流入することが防がれている。このため、冷却ファン６１４，６１５のファン本体６１４１，６１５１が駆動すると、当該ファン本体６１４１，６１５１の吸入口６１４１２，６１５１２には、ベースダクト６１３に形成された開口部６１３６，６１３７を介して、第１ダクト６１２内を流通した空気のみが流入することとなる。
【００５３】
第２ダクト６１６は、水平面に沿って分割形成された合成樹脂製の成型品である一対のダクト部６１６Ａ，６１６Ｂ（図９参照）で構成され、互いに組み合わせることで、内部に空気を流通可能とする。そして、第２ダクト６１６は、冷却ファン６１４，６１５から吐出された冷却空気を、液晶パネル４４１等の電気光学装置４４および偏光変換素子４１４に導く。この第２ダクト６１６は、ベースダクト６１３の下面６１３Ｂにねじ固定され、上方側に位置するダクト部６１６Ａの一部がベースダクト６１３に形成された開口部６１３３を介して、上面６１３Ａ側に露出する。このような第２ダクト６１６には、図７および図８に示すように、第１導風部６１６１、第２導風部６１６２、および第３導風部６１６３が形成されている。
【００５４】
第１導風部６１６１は、冷却ファン６１４から吐出された冷却空気を、液晶パネル４４１Ｒ，４４１Ｂのそれぞれに向けて導風する。この第１導風部６１６１には、冷却ファン６１４の開口６１４２２に接続され、当該冷却ファン６１４から吐出された空気が内部を流通する流通部６１６１１と、当該流通部６１６１１から分岐して、電気光学装置４４の液晶パネル４４１Ｒに向かって延出する延出部６１６１２と、同様に、流通部６１６１１から分岐して、液晶パネル４４１Ｂに向かって延出する延出部６１６１３とが形成されている。これら延出部６１６１２，６１６１３には、液晶パネル４４１Ｒ，４４１Ｂに対応する位置に開口６１６１２Ａ，６１６１３Ａが形成されており、当該延出部６１６１２，６１６１３内には、流通部６１６１１内を流通した冷却空気が分配される。
【００５５】
すなわち、冷却ファン６１４から吐出された空気は、第１導風部６１６１の流通部６１６１１内の空間Ａｒ１（図９参照）に流通した後、延出部６１６１２，６１６１３内にそれぞれ分配される。
このうち、延出部６１６１２内に分配された冷却空気は、当該延出部６１６１２に形成された開口６１６１２Ａから排出され、液晶パネル４４１Ｒと、当該液晶パネル４４１Ｒの光束入射側および光束射出側に配置された入射側偏光板４４２、視野角補償板４４３および射出側偏光板４４４とを冷却する。
一方、延出部６１６１３内に分配された冷却空気は、当該延出部６１６１３に形成された開口６１６１３Ａから排出され、液晶パネル４４１Ｂと、当該液晶パネル４４１Ｂの光束入射側および光束射出側に配置された入射側偏光板４４２、視野角補償板４４３および射出側偏光板４４４とを冷却する。
【００５６】
第２導風部６１６２は、冷却ファン６１５から吐出された空気を液晶パネル４４１Ｇに向けて導風する。この第２導風部６１６２には、冷却ファン６１５の開口６１５２２に接続され、当該冷却ファン６１５から吐出された冷却空気が内部を流通する流通部６１６２１と、当該流通部６１６２１から分岐して、液晶パネル４４１Ｇに向かって延出する延出部６１６２２とが形成されている。このうち、延出部６１６２２には、液晶パネル４４１Ｇに対応する位置に開口６１６２２Ａが形成されている。
【００５７】
また、第３導風部６１６３は、冷却ファン６１５から吐出された冷却空気の一部を、偏光変換素子４１４に導風する。この第３導風部６１６３には、第２導風部６１６２の流通部６１６２１と接続され、当該流通部６１６２１から分岐した一部の冷却空気が内部を流通する流通部６１６３１と、当該流通部６１６３１から偏光変換素子４１４に向かって延出する延出部６１６３２とが形成されている。この延出部６１６３２には、偏光変換素子４１４に対応する位置に開口６１６３２Ａが形成されている。
【００５８】
すなわち、冷却ファン６１５から吐出された空気は、第２導風部６１６２の流通部６１６２１内の空間（図示省略）に流通した後、一部が延出部６１６２２に、他の一部が第３導風部６１６３の流通部６１６３１に分配される。
ここで、延出部６１６２２内を流通する空気は、開口６１６２２Ａから排出され、液晶パネル４４１Ｇと、当該液晶パネル４４１Ｇの光束入射側および光束射出側に配置された入射側偏光板４４２、視野角補償板４４３および射出側偏光板４４４とを冷却する。
また、第３導風部６１６３の流通部６１６３１内を流通する空気は、当該流通部６１６３１に接続された延出部６１６３２内を流通した後、開口６１６３２Ａを介して排出され、偏光変換素子４１４を冷却する。
【００５９】
これら電気光学装置４４および偏光変換素子４１４を冷却した冷却空気は、外装筺体２内を流通した後、第２冷却系６２を構成する軸流ファン６２１により吸入され、電源ユニット５を冷却する他、第３冷却系６３を構成するシロッコファン６３１により吸入され、光源装置４１１を冷却する。そして、これら光源装置４１１および電源ユニット５を冷却した空気は、排気系６４を構成するダクト６４１を介して軸流ファン６４２により吸入され、アッパーケース２１に形成された排気口（図示省略）を介して、外装筺体２外に排出される。
【００６０】
（６）風速測定装置７の構成
図９は、風速測定装置７の内部構造を示す断面図である。
風速測定装置７は、冷却ユニット６により冷却対象である電気光学装置４４に送風される空気の風速を測定する装置である。この風速測定装置７は、図６ないし図９に示すように、空気流通部７１と、風速測定部としての風速センサ７２とを備える。
空気流通部７１は、図８または図９に示すように、平面視略直方体形状を有し、第１導風部６１６１を構成する流通部６１６１１における空気の流通方向先端部に接続し、第２ダクト６１６に一体的に構成されている。すなわち、空気流通部７１は、第２ダクト６１６における一対のダクト部６１６Ａ，６１６Ｂにそれぞれ一体的に構成される一対の流通部材７１Ａ，７１Ｂの２体に分割形成されたものである。そして、空気流通部７１は、一対の流通部材７１Ａ，７１Ｂを互いに組み合わせることで、断面略矩形枠形状を有し、空間Ａｒ１を流通する空気の一部を内部に流通可能とする。より具体的に、空気流通部７１における空気の流路の断面積は、図９に示すように、空間Ａｒ１における空気の流路の断面積よりも十分に小さいものとなるように形成されている。
【００６１】
この空気流通部７１において、流路前段側には、図９に示すように、空気の流通方向に略直交して延出する平板状の一対の障壁部７１１，７１２が形成されている。
より具体的に、障壁部７１１は、図９に示すように、下方側に位置する流通部材７１Ｂの内側面（上方側端面）に立設されている。また、障壁部７１２は、上方側に位置する流通部材７１Ａの内側面（下方側端面）において、図９に示すように、一対の流通部材７１Ａ，７１Ｂを互いに組み合わせた状態で、障壁部７１１よりも流路後段側の位置に立設されている。そして、一対の障壁部７１１，７１２は、流路方向から見た場合に、互いの板面が平面的に干渉するように形成されている。
すなわち、空間Ａｒ１内を流通する空気の一部は、図９に示すように、空気流通部７１内に流入する際、一対の障壁部７１１，７１２の隙間を流通することとなる。すなわち、一対の障壁部７１１，７１２は、空間Ａｒ１の内圧と該一対の障壁部７１１，７１２よりも流路後段側に位置する空間Ａｒ２の内圧とを分け、空間Ａｒ１の内圧に対して空間Ａｒ２の内圧を十分に低下させる機能を有している。
【００６２】
また、この空気流通部７１において、流路後段側端部には、図８または図９に示すように、該空気流通部７１内部の空気を外部に流出させる流出口７１３が形成されている。
すなわち、流出口７１３は、空間Ａｒ２を流通する空気の流量を増加させる。よってさらに空間Ａｒ２の内圧を十分に低下させるとともに、内圧および風速を安定化させる機能を有している。
さらに、この空気流通部７１において、一対の障壁部７１１，７１２と流出口７１３との間の略中央部分には、図９に示すように、一対の障壁部７１１，７１２と流出口７１３との間の空間Ａｒ２を流通する空気を外部に流出させるセンサ吹出し口７１４が形成されている。
【００６３】
風速センサ７２は、図９に示すように、空気流通部７１におけるセンサ吹出し口７１４に対応する位置に配設され、センサ吹出し口７１４を介して流出した空気の風速を測定する。そして、測定した風速値に応じた信号を制御装置８に出力する。
なお、風速センサ７２の構成としては、特に限定されないが、例えば、ヒータを加熱することにより所定の温度分布を形成し、空気の風速に応じた前記温度分布の変化状態を計測する風速センサを採用できる。本実施形態では、上述した原理で風速を測定する、MEMS風量センサD6F-W01A1あるいはD6F-W04A1（オムロン社製）を採用できる。
【００６４】
（７）制御装置８の構成
図１０は、制御装置８によるプロジェクタ１の制御構造を示すブロック図である。
制御装置８は、プロジェクタ１全体の駆動制御を行う。この制御装置８は、図１０に示すように、インターフェース部８１と、液晶パネル駆動制御部８２と、フレームメモリ８３と、ランプ駆動制御部８４と、ファン駆動制御部８５と、目詰まり検出制御部８６と、メモリ８７とを備える。
インターフェース部８１は、外部から信号線を介して入力される信号に対して予め設定されている入力インターフェース処理を実行し、液晶パネル駆動制御部８２等に出力する。例えば、インターフェース部８１は、各種外部機器から出力される画像信号等を入力し、液晶パネル駆動制御部８２にて処理可能な画像信号に変換して出力する。そして、インターフェース部８１から出力された画像信号（デジタル画像信号）は、フレームメモリ８３に一時的に記録される。
【００６５】
液晶パネル駆動制御部８２は、インターフェース部８１から出力されフレームメモリ８３に順次記憶されるデジタル画像信号を適宜読み出して、読み出したデジタル画像信号に対して所定の処理を施し、処理を施した画像に対応する画像情報としての駆動信号を各液晶パネル４４１に出力して所定の光学像を形成させる。この液晶パネル駆動制御部８２における前記所定の処理としては、例えば、拡大・縮小等の画像サイズ調整処理、台形歪補正処理、画質調整処理、ガンマ補正処理等がある。これらの各処理は、周知の技術であるので詳細な説明は省略する。
【００６６】
ランプ駆動制御部８４は、所定のプログラムにしたがって、所定の駆動周波数で光源ランプ４１６を駆動させる旨の制御指令をランプドライバ４１６Ａに出力し、ランプドライバ４１６Ａに所定の駆動周波数に応じた駆動信号を生成させ、光源ランプ４１６を駆動させる。
【００６７】
ファン駆動制御部８５は、所定のプログラムにしたがって、各ファン６１４，６１５，６２１，６３１を駆動制御する。なお、以下では、ファン駆動制御部８５による冷却ファン６１４，６１５の駆動制御を主に説明し、他のファン６２１，６３１の駆動制御については説明を省略する。
このファン駆動制御部８５は、メモリ８７に記憶されたファン制御情報に基づく初期電圧値で冷却ファン６１４，６１５を駆動させた後、冷却対象である電気光学装置４４近傍に配設された温度検出部としてのサーミスタ８８（図１０）にて検出された検出温度を順次認識し、認識した検出温度と、メモリ８７に記憶された設定温度情報に基づく設定温度との偏差量を算出し、該偏差量に基づいて冷却ファン６１４，６１５に印加する電圧値を変更して電気光学装置４４近傍の温度が前記設定温度になるようにフィードバック制御を実施する。なお、このフィードバック制御としては、検出温度と設定温度との偏差量に基づいて冷却ファン６１４，６１５に印加する電圧値を変更するフィードバック制御であればよく、比例制御、ＰＩ（Proportional Integral）制御、PID(Proportional Integral Differential)制御等のいずれを採用してもよい。
そして、このファン駆動制御部８５は、図１０に示すように、サーミスタ８８から出力されるアナログ信号をデジタル信号に変換するＡＤＣ(Analog to Digital Converter)８５１と、上述したフィードバック制御を実施する制御部本体８５２と、制御部本体により処理されて出力される所定の入力コードに応じたアナログ信号（電圧）をファンドライバ６１４Ａ，６１５Ａに出力し冷却ファン６１４，６１５を駆動させるＤＡＣ(Digital to Analog Converter)８５３とを備えている。
【００６８】
目詰まり検出制御部８６は、ファン駆動制御部８５によるフィードバック制御の際、冷却ファン６１４，６１５に印加する電圧値が上限値に達した後、風速測定装置７にて測定された風速値と、メモリ８７に記憶された設定風速情報に基づく設定風速値とに基づいて、フィルタ６１１の交換が必要であるか否かを判定する目詰まり検出制御を実施する。また、目詰まり検出制御部８６は、フィルタの交換が必要であると判定した場合に、液晶パネル駆動制御部８２に所定の制御信号を出力し、液晶パネル４４１にフィルタ６１１の交換を促す情報（光学像）を形成させる。
そして、この目詰まり検出制御部８６は、図１０に示すように、風速センサ７２から出力されるアナログ信号をデジタル信号に変換するＡＤＣ８６１と、入力したデジタル信号に基づいて上述した処理（目詰まり検出制御等）を実行する制御部本体８６２とを備えている。
【００６９】
メモリ８７は、ファン駆動制御部８５におけるフィードバック制御に必要な情報や、目詰まり検出制御部８６における目詰まり検出制御に必要な情報等を記憶する。このメモリ８７は、図１０に示すように、ファン制御情報記憶部８７１と、設定温度情報記憶部８７２と、設定風速情報記憶部８７３とを備える。
ファン制御情報記憶部８７１は、制御部本体８５２がフィードバック制御を実施する際の初期電圧値に関するファン制御情報を記憶する。
設定温度情報記憶部８７２は、制御部本体８５２がフィードバック制御を実施する際の設定温度に関する設定温度情報を記憶する。なお、設定温度としては、電気光学装置４４近傍の温度を所望の温度に設定するための温度である。
設定風速情報記憶部８７３は、制御部本体８６２が目詰まり検出制御を実施する際の設定風速値に関する設定風速情報を記憶する。なお、設定風速値としては、フィルタ６１１の交換を必要とする、すなわち、フィルタ６１１が目詰まりを起こしている際に送風される風速値よりも若干大きい値に設定されたものである。
【００７０】
（８）プロジェクタ１の制御方法
次に、上述した制御装置８によるプロジェクタ１の制御方法を図面に基づいて説明する。なお、以下の制御方法では、主に、ファン駆動制御部８５および目詰まり検出制御８６による制御を主に説明し、他の制御については、説明を省略する。
図１１は、プロジェクタ１の制御方法を説明するフローチャートである。
先ず、利用者によりプロジェクタ１の電源ＯＮボタン（図示省略）が押下されることで、電源ＯＮボタンから制御装置８に所定の操作信号が出力され、制御装置８は、プロジェクタ１を起動する（ステップＳ１）。
【００７１】
ステップＳ２の後、ファン駆動制御部８５は、メモリ８７からファン制御情報および設定温度情報を読み出す。そして、ファン駆動制御部８５は、読み出したファン制御情報に基づく初期電圧値で冷却ファン６１４，６１５を駆動させる。そして、ファン駆動制御部８５は、サーミスタ８８にて検出された検出温度を順次認識し、認識した検出温度と、読み出した設定温度情報に基づく設定温度との偏差量を算出し、該偏差量に基づいて冷却ファン６１４，６１５に印加する電圧値を変更して電気光学装置４４近傍の温度が前記設定温度になるようにフィードバック制御を実施する（ステップＳ２）。
【００７２】
図１２は、フィードバック制御の状態を模式的に示す図である。なお、図１２では、横軸が光源ランプ４１６の点灯後（プロジェクタ１の起動後）の経過時間を示し、縦軸がサーミスタ８８の検出温度および冷却ファン６１４，６１５に印加する電圧値を示している。また、図１２において、曲線ＣＬＳがサーミスタ８８の検出温度の挙動を示し、曲線ＣＬＶが冷却ファン６１４，６１５に印加する電圧値の挙動を示している。
ファン駆動制御部８５は、図１２に示すように、サーミスタ８８の検出温度に応じて冷却ファン６１４，６１５に印加する電圧値を変更し、電気光学装置４４近傍の温度が光源ランプ４１６の点灯後の時間の経過にしたがって設定温度Ｔ近傍に安定するようにフィードバック制御を実施する。
【００７３】
ところで、プロジェクタ１の使用環境温度が高い場合には、電気光学装置４４に向けて送風される空気の温度も高いため、電気光学装置４４近傍の温度の上昇率が高くなる。また、フィルタ６１１が目詰まりを起こした場合、すなわち、フィルタ６１１に塵埃等が付着し、所望量の空気を内部に導入できない場合にも同様に、電気光学装置４４近傍の温度の上昇率が高くなる。以上のような場合にファン駆動制御部８５がフィードバック制御を実施すると、初期電圧値Ｖで冷却ファン６１４，６１５を駆動した後、電圧値の増加率を比較的に大きくし、いずれ設定された上限値（冷却ファン６１４，６１５の使用電圧の上限値）で冷却ファン６１４，６１５を駆動することとなる。
そして、目詰まり検出制御部８６は、以下に示すように、目詰まり検出制御を実施することで、上記の種々の場合を切り分け、フィルタ６１１が目詰まりを起こしている旨を検出する。
【００７４】
すなわち、目詰まり検出制御部８６は、ステップＳ２においてファン駆動制御部８５によりフィードバック制御が実施されている際、ファン駆動制御部８５から冷却ファン６１４，６１５に印加される電圧値が上限値に達したか否かを常時、監視する（ステップＳ３）。
ステップＳ３において、目詰まり検出制御部８６は、「Ｙ」と判定した場合、すなわち、冷却ファン６１４，６１５に印加される電圧値が上限値に達したと判定した場合には、風速センサ７２から出力される信号を入力し、風速センサ７２にて測定された風速値を認識する（ステップＳ４）。
【００７５】
ステップＳ４の後、目詰まり検出制御部８６は、認識した風速値と、メモリ８７に記憶された設定風速情報に基づく設定風速値とを比較し、風速値が設定風速値未満であるか否か、すなわち、フィルタ６１１の交換が必要であるか否かを判定する（ステップＳ５）。
ステップＳ５において、目詰まり検出制御部８６が「Ｎ」と判定した場合、すなわち、風速値が設定風速値以上であると判定した場合には、制御装置８は、ステップＳ２に戻り、フィードバック制御を継続する。すなわち、風速値が設定風速値以上である場合には、フィルタ６１１が目詰まりを起こしている場合ではなく、例えば、プロジェクタ１の使用環境温度が高い場合等であり、目詰まり検出制御部８６は、フィルタ６１１が目詰まりを起こしている場合であるとは認識しない。
【００７６】
一方、ステップＳ５において、目詰まり検出制御部８６は、「Ｙ」と判定した場合、すなわち、風速値が設定風速値未満であると判定した場合には、フィルタ６１１が目詰まりを起こしている状態であると認識する（ステップＳ６）。
ステップＳ６の後、目詰まり検出制御部８６は、液晶パネル駆動制御部８２に所定の制御信号を出力し、液晶パネル４４１にフィルタ６１１の交換を促す情報（光学像）、例えば、「フィルタを交換して下さい」のメッセージを含む光学像を形成させ、スクリーン上に前記情報を表示させる（ステップＳ７）。
【００７７】
上述した実施形態によれば、以下の効果がある。
本実施形態では、風速測定装置７は、障壁部７１１，７１２および流出口７１３が形成された空気流通部７１を備えている。このことにより、空気流通部７１に向かう空気は、一度、障壁部７１１，７１２に衝突した後に、空間Ａｒ２に流入する。このため、空間Ａｒ１の圧力を障壁部７１１，７１２により低下させた状態で、空間Ａｒ２に空気を流入させることができる。また、流出口７１３により、空間Ａｒ２を流通する空気の流量を増加させることができる。したがって、空間Ａｒ２は、空間Ａｒ１の圧力よりも十分に低い圧力状態となりかつ、空気を一定の風速で流通させることができる。そして、風速センサ７２は、空間Ａｒ２の空気の風速を測定するので、センサ特性上、最適な圧力状態で風速を測定できかつ、測定した風速値にばらつきが生じることなく、電気光学装置４４に送風される空気の風速を精度よく測定できる。
【００７８】
ここで、風速測定装置７は、空気流通部７１が第２ダクト６１６内部に連通するように形成されている。すなわち、風速測定装置７は、電気光学装置４４に対して空気の流路前段側に配設されている。このことにより、例えば、風速測定装置７が電気光学装置４４を介した後の空気の風速を測定する構成と比較して、測定した風速値にばらつきが生じることをより抑制でき、電気光学装置４４に送風される空気の風速をより高精度に測定できる。また、第２ダクト６１６内部の空間Ａｒ１は、冷却ファン６１４からの空気の吐出圧により比較的に高い内圧となっているところ、障壁部７１１，７１２により、空気流通部７１の空間Ａｒ２の内圧を十分に低くすることができ、例えば、空間Ａｒ２を電気光学装置４４の配置位置と略同一の圧力状態とすることができ、電気光学装置４４に送風される空気の風速を良好に測定できる。
【００７９】
また、空気流通部７１には、２つの障壁部７１１，７１２が形成され、一方の障壁部７１１が下方から上方に向けて立設し、他方の障壁部７１２が上方から下方に向けて立設している。このことにより、例えば、障壁部を１つのみ形成した構成と比較して、２つの障壁部７１１，７１２を介して空間Ａｒ２に流入する空気の風速を略全領域で均一化できる。このため、風速センサ７２にて測定した風速値にばらつきが生じることをより抑制でき、電気光学装置４４に送風される空気の風速をより精度よく測定できる。
【００８０】
さらに、空気流通部７１は、２体に分割形成された一対の流通部材７１Ａ，７１Ｂで構成されているので、２つの障壁部７１１，７１２や流出口７１３を容易に形成でき、すなわち、空気流通部７１の製造を容易とする。
【００８１】
また、制御装置８は、ファン駆動制御部８５、設定風速情報記憶部８７３、および目詰まり検出制御部８６を備えているので、冷却ファン６１４に印加する電圧値、風速測定装置７にて測定された高精度の風速値、および設定風速情報記憶部８７３に記憶された設定風速情報に基づく設定風速値に基づいて、フィルタ６１１の目詰まりを精度よく検出でき、フィルタ６１１の交換を利用者に適切に認識させることができる。
【００８２】
以上、本発明について好適な実施形態を挙げて説明したが、本発明は、これらの実施形態に限定されるものではなく、本発明の要旨を逸脱しない範囲において種々の改良並びに設計の変更が可能である。
前記実施形態において、風速測定装置７の配設位置は、前記実施形態で説明した位置に限らない。風速測定装置としては、冷却対象に送風される空気の風速を測定可能とする位置であれば、いずれの位置でもよい。例えば、前記実施形態では、風速測定装置７は、液晶パネル４４１Ｒ，４４１Ｂに向けて送風される空気の風速を測定可能とする位置（第１導風部６１６１）に設けられていたが、液晶パネル４４１Ｒ，４４１Ｂを介した後の空気の風速を測定する位置に設けてもよく、あるいは、その他の冷却対象である液晶パネル４４１Ｇ、偏光変換素子４１４、電源ユニット５、光源ランプ４１６等に送風される空気の風速を測定可能とする位置に設けても構わない。
【００８３】
前記実施形態において、空気流通部７１の構成は、前記実施形態で説明した構成に限らない。例えば、前記実施形態では、障壁部が障壁部７１１，７１２の２つで構成されていたが、障壁部を１つのみ有する構成としてもよいし、障壁部を３つ以上有する構成としても構わない。すなわち、障壁部および流出口は、空間Ａｒ２の内圧を風速センサ７２のセンサ特性上、最適な圧力状態とするものであり、その形状や数は特に限定されない。
【００８４】
前記実施形態において、風速センサ７２の構成は、前記実施形態で説明した構成に限らず、その他の構成の風速センサを採用しても構わない。例えば、風速センサとして、ヒータと、周囲温度センサと、これらを制御する制御装置とを含んで構成し、前記制御装置にて前記ヒータの温度が前記周囲温度センサにて検出された周囲温度に対して常に一定の温度差になるように制御する。そして、送風される空気により前記温度差が一定値から外れた際に、前記制御装置が前記温度差を一定値とするように前記ヒータを制御する。この際、前記ヒータから奪われる熱量は、送風される空気の風速と相関があるので、前記ヒータに対する加熱電力量から空気の風速を算出する。
【００８５】
前記実施形態では、ファン駆動制御部８５は、冷却ファン６１４，６１５を駆動制御する際にフィードバック制御を実施していたが、これに限らず、その他の駆動制御、例えば以下に示す温度対応制御を実施しても構わない。
例えば、ファン制御情報記憶部８７１に記憶されたファン制御情報として、温度に関する温度情報、および前記温度に応じた回転数で冷却ファン６１４，６１５を駆動させるための電圧値に関する電圧値情報が関連付けられた電圧温度関連情報で構成する。そして、ファン駆動制御部８５は、サーミスタ８８にて検出された検出温度を順次認識し、認識した検出温度、および前記電圧温度関連情報に基づいて、前記検出温度に応じた電圧値で冷却ファン６１４，６１５を駆動させる温度対応制御を実施する。
【００８６】
前記実施形態では、制御装置８は、風速測定装置７にて測定された風速値に基づいて、目詰まり検出制御を実施していたが、これに限らず、その他の制御、例えば、光源ランプ４１６を消灯させる制御、電源をＯＦＦする制御、発熱異常の警報表示をする制御を実施する構成としても構わない。このように構成すれば、液晶パネル４４１等の光学部品が光束の照射により過熱されて損傷することがない。
【００８７】
前記実施形態では、目詰まり検出制御部８６は、フィルタ６１１の目詰まりを検出した後、液晶パネル駆動制御部８２に所定の制御信号を出力して、液晶パネル４４１にフィルタ６１１を交換する旨の光学像を形成させていたが、これに限らず、例えば、音声出力部にフィルタ６１１の交換を促すメッセージ等を音声にて報知させてもよく、あるいは、ＬＥＤ（Light Emitting Diode）等の発光素子を発光させる構成としてもよい。すなわち、目詰まり検出制御部８６は、フィルタ６１１の目詰まりを検出した後、報知部（液晶パネル駆動制御部８２、音声出力部、発光素子等）にフィルタの交換を促す情報を報知させる構成であればよい。
【００８８】
前記実施形態では、光源装置４１１は、放電発光型の光源装置で構成していたが、これに限らず、レーザダイオード、ＬＥＤ、有機ＥＬ(Electro Luminescence)素子、シリコン発光素子等の各種固体発光素子を採用してもよい。
また、前記実施形態では、光源装置４１１を１つのみ用い色分離光学装置４２にて３つの色光に分離していたが、色分離光学装置４２を省略して３つの色光をそれぞれ射出する３つの前記固体発光素子を光源装置として構成してもよい。
前記実施形態では、色合成光学装置としてクロスダイクロイックプリズム４４５を採用していたが、これに限らず、ダイクロイックミラーを複数用いることで各色光を合成する構成を採用してもよい。
【００８９】
前記実施形態では、プロジェクタ１は、３つの液晶パネル４４１Ｒ，４４１Ｇ，４４１Ｂを備えるとしたが、本発明はこれに限らない。すなわち、２つ以下、あるいは、４つ以上の液晶パネルを用いたプロジェクタにも、本発明を適用可能である。
さらに、前記実施形態では、光束入射面と光束射出面とが異なる透過型の液晶パネル４４１を用いていたが、光入射面と光射出面とが同一となる反射型の液晶パネルを用いてもよい。
【００９０】
前記実施形態では、光変調装置として液晶パネル４４１を備えたプロジェクタ１を例示したが、入射光束を画像情報に応じて変調して光学像を形成する光変調装置であれば、他の構成の光変調装置を採用してもよい。例えば、マイクロミラーを用いたデバイスなど、液晶層以外の光変調装置を用いたプロジェクタにも、本発明を適用することも可能である。
前記実施形態では、スクリーンを観察する方向から画像投射を行なうフロントタイプのプロジェクタ１のみを例示したが、本発明は、スクリーンを観察する方向とは反対側から画像投射を行なうリアタイプのプロジェクタにも適用可能である。
前記実施形態では、本発明に係る風速測定装置をプロジェクタに搭載した例を説明したが、これに限らず、冷却対象、冷却ファン、および外装筺体を備える例えば、パーソナルコンピュータ等の他の電子機器に搭載しても構わない。
【００９１】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００９２】
本発明の風速測定装置は、冷却対象に送風される空気の風速を精度よく測定できるため、プレゼンテーションやホームシアタに用いられるプロジェクタに利用できる。
【図面の簡単な説明】
【００９３】
【図１】本実施形態の電子機器としてのプロジェクタの外観を示す斜視図。
【図２】前記実施形態におけるプロジェクタの内部構成を示す斜視図。
【図３】前記実施形態における光学ユニットの光学系を模式的に示す図。
【図４】前記実施形態における第１冷却系の一部を示す斜視図。
【図５】前記実施形態における第１冷却系の一部を示す図。
【図６】前記実施形態におけるベースダクトに冷却ファン、第２ダクト、および風速測定装置を組み付けた状態を上方から見た斜視図。
【図７】図６において示した状態を下方から見た斜視図。
【図８】前記実施形態における冷却ファン、第２ダクト、および風速測定装置を示す斜視図。
【図９】前記実施形態における風速測定装置の内部構造を示す断面図。
【図１０】前記実施形態における制御ユニットによるプロジェクタの制御構造を示すブロック図。
【図１１】前記実施形態におけるプロジェクタの制御方法を説明するフローチャート。
【図１２】前記実施形態におけるフィードバック制御の状態を模式的に示す図。
【符号の説明】
【００９４】
１・・・プロジェクタ（電子機器）、３・・・投射レンズ（投射光学装置）、７・・・風速測定装置、８・・・制御装置、７１・・・空気流通部、７２・・・風速センサ（風速測定部）、８５・・・ファン駆動制御部、８６・・・目詰まり検出制御部、８８・・・サーミスタ（温度検出部）、２３２・・・開口部（吸気口）、４１１・・・光源装置、４４１・・・液晶パネル（光変調装置）、６１１・・・フィルタ、６１６・・・第２ダクト、６１４，６１５・・・冷却ファン、７１１，７１２・・・障壁部、７１３・・・流出口、８７３・・・設定風速情報記憶部、Ａｒ１，Ａｒ２・・・空間。
【図１】
2007304481.tif 000003
【図２】
2007304481.tif 000004
【図３】
2007304481.tif 000005
【図４】
2007304481.tif 000006
【図５】
2007304481.tif 000007
【図６】
2007304481.tif 000008
【図７】
2007304481.tif 000009
【図８】
2007304481.tif 000010
【図９】
2007304481.tif 000011
【図１０】
2007304481.tif 000012
【図１１】
2007304481.tif 000013
【図１２】
2007304481.tif 000014